(57)【要約】      （修正有）【課題】簡素な構成で製造安価で、高級感があり、名称等の記された面が差し替え容易で、その固定が確実なネームプレートを提供する。【解決手段】ネームの記された情報記載層２０が差し替え自在なネームプレートで、表面に位置する透明な表面樹脂層１０と、情報記載層２０と、金属プレート層３０と、裏面に位置する裏面樹脂層４０とが、この順に積層されて積層体を形成し、その積層体を貫通する少なくとも１つの貫通孔５１を備え、貫通孔５１にピン６０が、表面樹脂層１０から裏面樹脂層４０に向かって挿通され、ピン６０の先端部が折り曲げられて、裏面樹脂層４０の孔に隣接する凹溝に収容されることで、積層体の積層状態が固定されると共に、ピン６０の緩みが防止され、また、ピン６０の先端部の折り曲げを解除することで、積層体の積層状態の固定を解除して情報記載層２０の差し替えを可能とする。【選択図】図２
0003184598.tif 000002
【実用新案登録請求の範囲】
【請求項１】
ネームの記された情報記載層が差し替え自在なネームプレートであって、
表面に位置する透明な表面樹脂層と、情報記載層と、金属プレート層と、裏面に位置する裏面樹脂層とが、この順に積層されて積層体を形成し、
その積層体を貫通する少なくとも１つの貫通孔を備え、その貫通孔にピンが、表面樹脂層から裏面樹脂層に向かって挿通され、
そのピンの先端部が折り曲げられて、裏面樹脂層の孔に隣接する凹溝に収容されることによって、積層体の積層状態が固定されると共に、ピンの緩みが防止され、また、ピンの先端部の折り曲げを解除することによって、積層体の積層状態の固定を解除して情報記載層の差し替えが可能となる
ことを特徴とするネームプレート。
【請求項２】
ピンの先端部が、二股に分かれて折り曲げられる
請求項１に記載のネームプレート。
【請求項３】
表面樹脂層及び裏面樹脂層がアクリル樹脂製であり、情報記載層がフィルム製であり、金属プレート層が真鍮製またはステンレス製である
請求項１または２に記載のネームプレート。
【考案の詳細な説明】
【技術分野】
【０００１】
本考案は、ネームの記された面が差し替え自在なネームプレートに関する。
【背景技術】
【０００２】
名称等が変更したら、ネームプレート全体を破棄するのではもったいないため、名称等の記された面が差し替え自在なネームプレートが望まれる。
【０００３】
本出願人は、表面に位置する透明なアクリル樹脂層と、名称等が印字されたフィルム層と、裏面に位置する金属プレート層とによる３層のネームプレートを販売している（非特許文献１）
これによると、積層状態を解除して、フィルム層を差し替えることで、名称等の記された面を交換できる。また、アクリル樹脂層と金属プレート層とによる高級感が提供される。
【０００４】
しかし、３層の積層状態を固定する手段が、積層体を貫通するネジ留めであるため、その先端が突出したり、ネジの弛む危惧があった。
【０００５】
他方、アクリル樹脂を用いたネームプレートとしては、特許文献１〜４などが挙げられるが、名称等の記された面が差し替え容易であると共に、固定が確実なネームプレートはなかった。
【先行技術文献】
【特許文献】
【０００６】
【特許文献１】特開２００９−６９５８０「ネームプレート」
【特許文献２】実用新案登録第３０８７２７７号「記章」
【特許文献３】実用新案登録第３０７３９０６号「ネームプレート本体とネームプレート」
【特許文献４】実用新案登録第３０６８９９７号「ネ―ムプレ―ト」
【非特許文献】
【０００７】
【非特許文献１】製品の情報を示すＨＰ（http://www.nahuda.jp/030/cat7/post_1.html）
【考案の概要】
【考案が解決しようとする課題】
【０００８】
そこで、本考案は、簡素な構成で製造安価でありながらも高級感を与えられ、名称等の記された面が差し替え容易であると共に、その固定が確実なネームプレートを提供することを課題とする。
【課題を解決するための手段】
【０００９】
上記課題を解決するために、本考案のネームプレートは、次の構成を備える。すなわち、ネームの記された情報記載層が差し替え自在なネームプレートであって、表面に位置する透明な表面樹脂層と、情報記載層と、金属プレート層と、裏面に位置する裏面樹脂層とが、この順に積層されて積層体を形成し、その積層体を貫通する少なくとも１つの貫通孔を備え、その貫通孔にピンが、表面樹脂層から裏面樹脂層に向かって挿通され、そのピンの先端部が折り曲げられて、裏面樹脂層の孔に隣接する凹溝に収容されることによって、積層体の積層状態が固定されると共に、ピンの緩みが防止され、また、ピンの先端部の折り曲げを解除することによって、積層体の積層状態の固定を解除して情報記載層の差し替えが可能となることを特徴とする。
【００１０】
ここで、ピンの先端部を、二股に分かれて折り曲げられる形態としてもよい。
【００１１】
表面樹脂層及び裏面樹脂層としてはアクリル樹脂製、情報記載層としてはフィルム製、金属プレート層としては真鍮製またはステンレス製が好適である。
【考案の効果】
【００１２】
本考案のネームプレートによると、積層体を貫通するピンの先端部が折り曲げられて、裏面樹脂層の孔に隣接する凹溝に収容されるので、積層体の積層状態が固定されると共にピンの緩みが防止される。また、ピンの先端部の折り曲げを解除することで、情報記載層を容易に差し替えられる。
【図面の簡単な説明】
【００１３】
【図１】ネームプレートの正面図
【図２】同、側面断面図
【図３】同、背面図
【図４】別実施例のネームプレートの背面図
【考案を実施するための形態】
【００１４】
以下に、本考案の実施形態を説明する。なお、本考案の趣旨から逸脱しない範囲で、適宜設計変更可能であり、前記特許文献や従来公知の技術を援用可能である。
【００１５】
ここでは、ネームプレートとして、衣服の胸部等に取り付けて、使用者の名前等を表示するものを挙げて説明するが、例えば、展示物品の脇に立て掛けて、その物品の説明等に供する表示板など、広義のネームプレートに適用可能である。形状も、図示の例の直方体に限らず任意である。
【００１６】
図１〜３は、本考案によるネームプレートの正面図、側面断面図、背面図である。
本実施例のネームプレートは、表面に位置する透明な表面樹脂層（１０）と、情報記載層（２０）と、金属プレート層（３０）と、裏面に位置する裏面樹脂層（４０）とが、この順に積層されて積層体（５０）を形成する。
表面樹脂層（１０）としては、アクリル樹脂など無色透明または薄い有色透明の樹脂板が利用でき、情報記載層（２０）としては、フィルムや紙など印字可能な薄片が利用でき、金属プレート層（３０）としては、真鍮やステンレスなどの金属板や、金属メッキした板状体の他、木材等も利用でき、裏面樹脂層（４０）としては、アクリル樹脂などの樹脂板が利用できる。
【００１７】
各層（１０）（２０）（３０）（４０）には、それぞれ積層時に呼応する位置に孔（１１）（２１）（３１）（４１）を備え、積層体（５０）を貫通する少なくとも１つの貫通孔（５１）を形成する。図示の例では、２つの貫通孔（５１）が設けられている。
【００１８】
貫通孔（５１）には、ピン（６０）が、表面樹脂層（１０）から裏面樹脂層（４０）に向かって挿通され、ピン（６０）の頭部（６１）が表面樹脂層（１０）に係止し、ピン（６０）の先端部（６２）が裏面樹脂層（４０）に係止する。
【００１９】
裏面樹脂層（４０）には、凹溝（４２）が孔（４１）に隣接して設けられている。
裏面樹脂層（４０）の孔（４１）から突出したピン（６０）の先端部（６２）は、折り曲げられて凹溝（４２）に収容される。
これにより、積層体（５０）の積層状態が固定されると共に、ピン（６０）の緩みも防止される。また、ピン（６０）の先端部（６２）をまっすぐ伸ばして、折り曲げ状態を解除すれば、積層体（５０）の積層状態の固定が解除されるので、情報記載層（２０）を別のものに差し替えられるようになる。
【００２０】
ピン（６０）は、その先端部（６２）が折り曲げられるものであれば、任意のものが利用でき、例えば、先端部（６２）が二股以上に分岐しているピン（６０）でもよい。
図４は、別実施例のネームプレートの背面図である。
本実施例のピン（６０）は、その先端部（６２）が二股に分岐している。これによると、複数の先端部（６２）（６２）で裏面樹脂層（４０）に係止するので、積層体（５０）の積層状態の固定が一層安定である。
【００２１】
裏面樹脂層（４０）には、クリップや安全ピンやタイタックなど従来公知の裏留め具を付設してもよいし、磁石と組み合わせにより衣服等に留められる構成にしてもよい。また、脚部を付設して、単独で立つ構成にしてもよいし、接着剤を付けて壁等に貼れる構成にしてもよい。
【産業上の利用可能性】
【００２２】
以上のように、本考案によると、簡素な構成で製造安価でありながらも高級感を与えられ、名称等の記された面が差し替え容易であるので、本体の再利用に寄与し、産業上非常に有用である。
【符号の説明】
【００２３】
１０  表面樹脂層
１１  孔
２０  情報記載層
２１  孔
３０  金属プレート層
３１  孔
４０  裏面樹脂層
４１  孔
４２  凹溝
５０  積層体
５１  貫通孔
６０  ピン
６１  ピン頭部
６２  ピン先端部
【図１】
0003184598.tif 000003
【図２】
0003184598.tif 000004
【図３】
0003184598.tif 000005
【図４】
0003184598.tif 000006